(57)【要約】      （修正有）【課題】発光時間が充分に長い光による光電特性計測を高精度に行うことができ、しかも消費電力の低減化及び光源の長寿命化を期待できるソーラシミュレータを提供する。【解決手段】点灯及び消灯の繰り返し動作を可能とする高圧キセノンショートアークランプ２１と、ランプ電流を供給するランプ電源回路２５と、スタート用のトリガ電圧を印加するスタータ回路２４と、被測定体２３の光電変換特性を測定する測定回路２７と、ランプ電源回路２５、スタータ回路２４及び測定回路２７に電気的に接続された測定制御回路２８とを備えている。測定制御回路２８は、計測開始時又は計測開始直前にスタータ回路２４にトリガ電圧の印加を指示して高圧キセノンショートアークランプ２１を瞬時に点灯させ、計測終了時又は計測終了直後にランプ電源回路２５にランプ電流の供給停止を指示して高圧キセノンショートアークランプ２１を消灯するように構成されている。【選択図】図２
2014085182.tif 000002
【特許請求の範囲】
【請求項１】
点灯及び消灯の繰り返し動作を可能とする高圧キセノンショートアークランプと、該高圧キセノンショートアークランプにランプ電流を供給するランプ電源回路と、前記高圧キセノンショートアークランプにスタート用のトリガ電圧を印加するスタータ回路と、前記高圧キセノンショートアークランプからの擬似太陽光が照射される被測定体の光電変換特性を測定する測定回路と、前記ランプ電源回路、前記スタータ回路及び前記測定回路に電気的に接続された測定制御装置とを備えており、前記測定制御装置は、前記測定回路による前記被測定体の光電変換特性の計測開始時又は計測開始直前に前記スタータ回路にトリガ電圧の印加を指示して前記高圧キセノンショートアークランプを瞬時に点灯させ、該光電変換特性の計測終了時又は計測終了直後に前記ランプ電源回路にランプ電流の供給停止を指示して前記高圧キセノンショートアークランプを消灯するように構成されていることを特徴とするソーラシミュレータ。
【請求項２】
前記測定回路は、前記被測定体の出力端子間に接続された基準抵抗及び電子負荷と、該電子負荷を変化させる掃引部と、掃引時の前記被測定体の出力端子間の電圧を検出する電圧検出部と、掃引時に前記基準抵抗を流れる電流を検出する電流検出部とを備えていることを特徴とする請求項１に記載のソーラシミュレータ。
【請求項３】
前記スタータ回路は、前記高圧キセノンショートアークランプに二次側巻線が接続されたテスラコイルと、前記測定制御装置から与えられる点灯指示信号に応答して前記テスラコイルの一次側巻線に高圧パルス電流を印加するパルス電流発生回路とを備えていることを特徴とする請求項１又は２に記載のソーラシミュレータ。
【請求項４】
前記ランプ電源回路は、前記測定制御装置から与えられる消灯指示信号に応答して前記高圧キセノンショートアークランプへのランプ電流の供給を停止するスイッチ回路を備えていることを特徴とする請求項１から３のいずれか１項に記載のソーラシミュレータ。
【請求項５】
前記測定制御装置は、トリガ電圧の印加を指示する点灯指示信号を前記スタータ回路に送信する点灯指示手段と、該点灯指示手段からの点灯指示信号の送信に続いて、前記測定回路による前記被測定体の光電変換特性の計測開始を指示する計測開始指示手段と、前記測定回路による前記被測定体の光電変換特性の計測終了を指示する計測終了指示手段と、該計測終了指示手段からの計測終了の指示に続いて、ランプ電流の供給停止を指示する消灯指示信号を前記ランプ電源回路に送信する消灯指示手段とを備えていることを特徴とする請求項１から４のいずれか１項に記載のソーラシミュレータ。
【発明の詳細な説明】
【技術分野】
【０００１】
本発明は、擬似太陽光を例えば太陽電池パネル等の被照射体に照射してこの被照射体の光電変換特性（Ｉ／Ｖ特性）を計測するソーラシミュレータに関する。
【背景技術】
【０００２】
従来のこの種のソーラシミュレータにおいて、太陽電池パネルへの照射時間を制御する一般的な方法として、光源（多くの場合、放電ランプ）から定常光を発光させ、その光路の途中に機械的に開閉して光の透過及び遮断を制御可能なシャッタを設ける方法が存在する（例えば、特許文献１参照）。即ち、発生させた定常光に対して、光電変換特性の計測開始時に機械的シャッタを開いて光照射を行い、終了時にこのシャッタを閉じて遮光する方法である。
【０００３】
このように、光源からの定常光を利用しているのは、一般的な放電ランプは、点灯及び再点灯した際に安定した発光状態となるまでかなりの時間を要し、短期間の効率的な計測を行うことができないためである。
【先行技術文献】
【特許文献】
【０００４】
【特許文献１】特開２０１１−０８１２７４号公報
【発明の概要】
【発明が解決しようとする課題】
【０００５】
定常光を用いる従来のソーラシミュレータによると、光源を測定に供さない待機時間のために長時間に渡って連続運転する必要があり、長時間の点灯で光源のランプの寿命を太陽電池の測定意外で消費してしまい、発熱による光源装置の短寿命化を招き、しかも、大規模な電源回路及び多大な消費電力が要求されるという問題が生じる。しかも、機械的な開閉シャッタは寿命が短いという問題もあった。
【０００６】
このような定常光を用いることなくフラッシュ光を発生させることによって、発熱を抑えかつランプ寿命を長寿命化する技術は公知である。
【０００７】
しかしながら、フラッシュ光を用いた太陽電池パネルの特性計測方法のうち、発光時間の短いフラッシュ光を多数回使用するショートパルスフラッシュ光による計測方法は、フラッシュ光波形の頂部が平坦でないため、太陽電池パネルの種類によっては、フラッシュ光に電池出力が追従できず、高精度の特性計測を行うことができなかった。
【０００８】
また、フラッシュ光を用いた太陽電池パネルの特性計測方法のうち、発光時間の比較的長い１回のフラッシュ光を使用する単一のロングパルスフラッシュ光による計測方法は、発光時間の上限が１００ｍｓ程度と短いため、例えば多層型の太陽電池パネル等においては、電池を飽和させることができず、正確な特性計測を行うことが非常に困難であった。
【０００９】
従って本発明の目的は、発光時間が充分に長い光による光電特性計測を正確に行うことができるソーラシミュレータを提供することにある。
【００１０】
本発明の他の目的は、発光時間が充分に長い光による光電特性計測が可能であるにもかかわらず、消費電力の低減化及び構成部品の長寿命化を期待できるソーラシミュレータを提供することにある。
【課題を解決するための手段】
【００１１】
本発明のソーラシミュレータは、点灯及び消灯の繰り返し動作を可能とする高圧キセノンショートアークランプと、この高圧キセノンショートアークランプにランプ電流を供給するランプ電源回路と、この高圧キセノンショートアークランプにスタート用のトリガ電圧を印加するスタータ回路と、高圧キセノンショートアークランプからの擬似太陽光が照射される被測定体の光電変換特性を測定する測定回路と、上述のランプ電源回路、スタータ回路及び測定回路に電気的に接続された測定制御装置とを備えている。測定制御装置は、測定回路による被測定体の光電変換特性の計測開始時又は計測開始直前にスタータ回路にトリガ電圧の印加を指示して高圧キセノンショートアークランプを瞬時に点灯させ、光電変換特性の計測終了時又は計測終了直後にランプ電源回路にランプ電流の供給停止を指示して高圧キセノンショートアークランプを消灯するように構成されている。
【００１２】
なお、本明細書において、高圧キセノンショートアークランプの「高圧」とは、ランプ内部のキセノンガスの圧力が他のキセノンランプより相対的に高圧力となっていることを意味している。点灯動作及び消灯動作を繰り返して実行可能な高圧キセノンショートアークランプが存在する。本発明のソーラシミュレータはこの高圧キセノンショートアークランプからの擬似太陽光を例えば太陽電池セルである被測定体に照射した状態でその光電変換特性を計測する。その被測定体の光電変換特性の計測開始時又は計測開始直前にスタータ回路にトリガ電圧の印加が指示され、これにより、スタータ回路からスタート用のトリガ電圧が高圧キセノンショートアークランプに印加されることにより瞬時の点灯が行われる。光電変換特性の計測終了時又は計測終了直後にランプ電源回路にランプ電流の供給停止が指示され、ランプ電流が遮断されることにより高圧キセノンショートアークランプが消灯される。これにより、高圧キセノンショートアークランプは光電変換特性の計測中のみ点灯され、計測が終了すると消灯される。従って、発光時間が充分に長い光による光電特性計測を高精度に行うことができ、しかも、消費電力の低減化及び構成部品の長寿命化を図ることができる。
【００１３】
測定回路が、被測定体の出力端子間に接続された基準抵抗及び電子負荷と、電子負荷を変化させる掃引部と、掃引時の被測定体の出力端子間の電圧を検出する電圧検出部と、掃引時に基準抵抗を流れる電流を検出する電流検出部とを備えていることが好ましい。
【００１４】
スタータ回路が、高圧キセノンショートアークランプに二次側巻線が接続されたテスラコイルと、測定制御装置から与えられる点灯指示信号に応答してテスラコイルの一次側巻線に高圧パルス電流を印加するパルス電流発生回路とを備えていることも好ましい。
【００１５】
ランプ電源回路が、測定制御装置から与えられる消灯指示信号に応答して高圧キセノンショートアークランプへのランプ電流の供給を停止するスイッチ回路を備えていることも好ましい。
【００１６】
測定制御装置が、トリガ電圧の印加を指示する点灯指示信号をスタータ回路に送信する点灯指示手段と、点灯指示手段からの点灯指示信号の送信に続いて、測定回路による被測定体の光電変換特性の計測開始を指示する計測開始指示手段と、測定回路による被測定体の光電変換特性の計測終了を指示する計測終了指示手段と、計測終了指示手段からの計測終了の指示に続いて、ランプ電流の供給停止を指示する消灯指示信号をランプ電源回路に送信する消灯指示手段とを備えていることも好ましい。
【発明の効果】
【００１７】
本発明によれば、被測定体に対して、発光時間が充分に長い光による光電特性計測を高精度に行うことができ、しかも、消費電力の低減化及びランプをはじめとする光源部の構成部品の長寿命化を図ることができる。
【図面の簡単な説明】
【００１８】
【図１】本発明の一実施形態として、本発明のソーラシミュレータを用いたセルテスタの構成例を概略的に示す斜視図である。
【図２】図１の実施形態におけるソーラシミュレータの主に電気的構成を概略的に示すブロック図である。
【図３】図２に示したソーラシミュレータの高圧キセノンショートアークランプの内部構造の一例を概略的に示す断面図である。
【図４】図２に示したソーラシミュレータのスタータ回路の一例の電気的構成を概略的に示す回路図である。
【図５】図２に示したソーラシミュレータのランプ電源回路の電気的構成を概略的に示す回路図である。
【図６】図１の実施形態のセルテスタによる太陽電池セルパネルの搬送及び計測処理の流れを概略的に説明するフローチャートである。
【図７】図１の実施形態における測定制御回路のＩ／Ｖ特性計測処理の流れを概略的に説明するフローチャートである。
【図８】図７のＩ／Ｖ特性計測処理においてバイポーラ電源回路の出力電圧指令値Ｖｂと測定される電圧値及び電流値との関係を説明する特性図である。
【図９】図７のＩ／Ｖ特性計測処理においてバイポーラ電源回路の出力電圧指令値Ｖｂの段階的変化と電圧及び電流の測定ポイントとを説明する特性図である。
【図１０】図１の実施形態におけるソーラシミュレータによって計測されたＩ／Ｖ特性の一例を示す図である。
【図１１】図１の実施形態におけるソーラシミュレータによって計測されたＩ／Ｖ特性の他の例を示す図である。
【図１２】本発明の他の実施形態におけるソーラシミュレータのスタータ回路の他の例の電気的構成を概略的に示す回路図である。
【発明を実施するための形態】
【００１９】
図１は本発明の一実施形態として、本発明のソーラシミュレータを用いたセルテスタの構成例を概略的に示している。本実施形態は、小面積の太陽電池セルパネルに擬似太陽光を照射してＩ／Ｖ特性を計測するソーラシミュレータを備えたセルテスタに関する。
【００２０】
同図において、１０はＩ／Ｖ特性を計測すべき複数の太陽電池セルパネル１１が載置されているトレイが複数個重畳されている供給元トレイ群、１２は供給元トレイ群１０の各トレイから個々の太陽電池セルパネル１１を搬送する搬送ベルトコンベア、１３は搬送ベルトコンベア１２の途中に設けられたソーラシミュレータ、１４はソーラシミュレータ１３の下流の搬送ベルトコンベア１２の途中に設けられ、計測結果に応じて太陽電池セルパネル１１をランク別に仕分けるソータ、１５、１６及び１７はソータ１４によってランク別に仕分けされ、搬送ベルトコンベア１２によって搬送される太陽電池セルパネル１１をそれぞれ受け取って収納するトレイを複数個それぞれ備えたランク別トレイ群を示している。
【００２１】
図２は本実施形態におけるソーラシミュレータ１３の主に電気的構成を概略的に示している。
【００２２】
同図において、２０はソーラシミュレータ１３の擬似太陽光発生光学部、２１はこの擬似太陽光発生光学部２０内に設けられた点灯動作及び消灯動作を繰り返して実行可能な高圧キセノンショートアークランプ、２２はフィルタを切換え可能な減光フィルタ装置、２３は擬似太陽光が照射される太陽電池セルをそれぞれ示している。減光フィルタ装置２２は、本実施形態では、複数のメッシュフィルタが円周方向に沿って配列された円板２２ａとこの円板２２ａを回動させるモータ２２ｂとを備えている。図示されていないが、擬似太陽光発生光学部２０内には、高圧キセノンショートアークランプ２１から出射された光を均一な平行光に変換するための公知の光学系が設けられている。
【００２３】
図２において、さらに、２４は高圧キセノンショートアークランプ２１に電気的に接続されており、この高圧キセノンショートアークランプ２１にスタート用のトリガ電圧を印加するスタータ回路、２５は高圧キセノンショートアークランプ２１及びスタータ回路２４に電気的に接続されており、この高圧キセノンショートアークランプ２１にランプ電流を供給するランプ電源回路、２６は減光フィルタ装置２２のモータ２２ｂに電気的に接続されており、このモータ２２ｂを所定角度だけ回動駆動する駆動パルスを発生するモータ駆動回路、２７は太陽電池セル２３の両端に電気的に接続されており、この太陽電池セル２３の出力電圧値及び出力電流値を測定する測定回路、２８はスタータ回路２４、ランプ電源回路２５、モータ駆動回路２６及び測定回路２７に電気的に接続されている測定制御回路をそれぞれ示している。
【００２４】
図３は本実施形態におけるソーラシミュレータ１３の高圧キセノンショートアークランプ２１の内部構造の一例を概略的に示している。
【００２５】
本実施形態における高圧キセノンショートアークランプ２１は、セラミック材料による反射鏡部材２１ａと、この反射鏡部材２１ａの前面に設けられた例えばサファイア材料による透明窓部材２１ｂと、反射鏡部材２１ａ及び透明窓部材２１ｂによって囲まれて密封形成されており、数気圧の高圧キセノンガスが封入されているランプ室２１ｃと、ランプ室２１ｃ内に先端が設けられたタングステン材料によるアノード２１ｄと、ランプ室２１ｃ内に設けられた先鋭端がアノード２１ｄの先端に対向しているカソード２１ｅと、カソード２１ｅを固定支持するカソード支持部材２１ｆとを備えている。
【００２６】
アノード２１ｄ及びカソード２１ｅは、共通の光軸上において短い間隙で先端が互いに対向するように配置され、反射鏡部材２１ａに一体化されている。これらアノード２１ｄ及びカソード２１ｅ間に電圧が印加され、アークギャップ部にキセノンショートアークが生成されることにより、このアークギャップ部が発光部２１ｇとなる。
【００２７】
反射鏡部材２１ａの内側表面は楕円の軸断面を有する反射鏡２１ｈとなっており、この楕円軸断面形状の反射鏡２１ｈの楕円焦点にショートアークによる発光部２１ｇが位置するように構成されている。このように、この高圧キセノンショートアークランプ２１においては、発光部２１ｇ及び反射鏡２１ｈ間の位置関係が固定されているため、発光部２１ｇの軸出し作業が不要となる。さらに、反射鏡２１ｈの楕円焦点に発光部２１ｇが配置されているため、反射鏡２１ｈによって反射され、前面に出射される光は、光軸上の図示しない焦点に集光することとなる。反射鏡を、その内側表面が放物線の軸断面形状を有し、その放物線焦点にショートアークによる発光部が位置するように構成しても良い。その場合も、発光部及び反射鏡間の位置関係が固定されているため、発光部の軸出し作業が不要となる。さらに、反射鏡の放物線焦点に発光部を配置することにより、反射鏡によって反射されて前面に出射される光は平行光となる。
【００２８】
この高圧キセノンショートアークランプ２１は、アークギャップが例えば０．６２〜２．２９ｍｍと非常に短く、かつ、ランプ室２１ｃ内に数気圧の高圧キセノンガスが封入されている。このため、点灯直後にほぼ定格の光出力を発生させることができ、しかも、点灯動作及び消灯動作を繰り返して実行することができる。単なる一例であるが、高圧キセノンショートアークランプ２１の電気的特性として、動作電力が３５０〜２４５０Ｗ、動作電流が２５〜１１０Ａ（直流）、動作電圧が１４〜２５Ｖ（直流）、最低トリガ電圧が２５〜３５ｋＶである。また、高圧キセノンショートアークランプ２１の出力特性として、放射出力が１１２〜６３５Ｗ、ＵＶ出力が５〜３１Ｗ、ＩＲ出力が６５〜３５０Ｗ、可視光出力が１０５００〜７３０００ルーメンである。
【００２９】
なお、このような集光型及び平行光型の高圧キセノンショートアークランプ２１は、エクセリタス社より、ＣＥＲＭＡＸ（登録商標）ランプとして市販されている。
【００３０】
図４は本実施形態におけるソーラシミュレータ１３のスタータ回路２４の一例の電気的構成を概略的に示している。
【００３１】
本実施形態におけるスタータ回路２４は、テスラコイル２４ａと、高圧トランス（Ｔ）２４ｂと、ダイオード（Ｄ）２４ｃと、キャパシタ（Ｃ）２４ｄと、トリガードスパークギャップ素子（ＴＳＧ）２４ｅと、トリガトランス２４ｆと、トリガ回路２４ｇとを備えている。
【００３２】
テスラコイル２４ａの２次側巻線の一端は、高圧キセノンショートアークランプ２１のアノード２１ｄに直列に接続されている。このテスラコイル２４ａの２次側巻線の他端と、高圧キセノンショートアークランプ２１のカソード２１ｅとは、ランプ電源回路２５の出力端子に接続されている。高圧トランス２４ｂの１次側巻線は商用電源に接続されており、この高圧トランス２４ｂの２次側巻線には互いに直列接続されたダイオード２４ｃ及びキャパシタ２４ｄが接続されている。即ち、高圧トランス２４ｂの２次側巻線の一端にはダイオード２４ｃのアノードが接続されており、高圧トランス２４ｂの２次側巻線の他端にはキャパシタ２４ｄの一端が接続されている。キャパシタ２４ｄの他端はダイオード２４ｃのカソードに接続されている。
【００３３】
ダイオード２４ｃのカソードはテスラコイル２４ａの１次側巻線の一端に接続されており、テスラコイル２４ａの１次側巻線の他端にはトリガードスパークギャップ素子２４ｅのアノードが接続されている。トリガードスパークギャップ素子２４ｅのカソードはキャパシタ２４ｄの一端（高圧トランス２４ｂの２次側巻線の他端）に接続されている。トリガードスパークギャップ素子２４ｅのトリガ電極はトリガトランス２４ｆの２次側巻線の一端に接続されており、このトリガトランス２４ｆの２次側巻線の他端はトリガードスパークギャップ素子２４ｅのカソードに接続されている。
【００３４】
トリガトランス２４ｆの１次側巻線はトリガ回路２４ｇの出力端子に接続されており、このトリガ回路２４ｇの入力端子には、測定制御回路２８からランプ点灯信号であるトリガ信号が印加されるように構成されている。
【００３５】
このような構成のスタータ回路２４において、高圧トランス２４ｂとダイオード２４ｃとの作動により、キャパシタ２４ｄは商用電源が供給されている限り、常時充電されている。しかしながら、その場合にも、キャパシタ２４ｄの両端電圧は、トリガードスパークギャップ素子２４ｅのブレークダウン電圧には達しないように設定されている。
【００３６】
測定制御回路２８からトリガ信号であるランプ点灯信号がトリガ回路２４ｇに印加されると同時に、トリガトランス２４ｆから高圧パルス（約３０ｋＶ)が発生しトリガードスパークギャップ素子２４ｅのトリガ電極に印加される。これにより、トリガードスパークギャップ素子２４ｅがブレークダウンされてキャパシタ２４ｄの充電電圧がテスラコイル２４ａに印加され、その２次側巻線に非常に高い電圧が発生する。その結果、高圧キセノンショートアークランプ２１は、測定制御回路２８からのランプ点灯信号印加とほぼ同時に点灯し、直ちに定常出力光を発生する。この構成のスタータ回路２４は、発光パルス幅が短い場合に、瞬点動作を行うので、非常に有効である。
【００３７】
図５は本実施形態におけるソーラシミュレータ１３のランプ電源回路２５の電気的構成を概略的に示している。本実施形態のランプ電源回路２５は、リニア制御式ランプ電源回路であり、出力回路のトランジスタのインピーダンスを連続的に変化させて、ランプ電流又はランプ照度を制御するように構成されている。
【００３８】
本実施形態におけるランプ電源回路２５は、複数のトランジスタを有する出力回路２５ａと、ランプ出力用出力端子２５ｂと、整流器２５ｃと、平滑キャパシタ２５ｄと、降圧トランス２５ｅと、スイッチ２５ｆと、商用電源入力端子２５ｇと、駆動トランジスタ２５ｈと、駆動回路２５ｉと、フォトカプラ２５ｊと、消灯信号入力端子２５ｋとを備えている。
【００３９】
出力回路２５ａにおける複数のトランジスタのベースは共通に接続されており、エミッタには抵抗がそれぞれ接続されている。出力回路２５ａは、これら抵抗及びトランジスタの直列回路が複数互いに並列に接続されて構成されている。
【００４０】
出力回路２５ａにはランプ出力用出力端子２５ｂ及びスタータ回路２４を介して高圧キセノンショートアークランプ２１に接続されており、この出力回路２５ａにおける各トランジスタのコレクタは整流器２５ｃの正の出力端子と平滑キャパシタ２５ｄの一端とに接続されている。整流器２５ｃの負の出力端子は平滑キャパシタ２５ｄの他端及びスタータ回路２４に接続されている。整流器２５ｃの入力端子は降圧トランス２５ｅの２次側巻線に接続されている。降圧トランス２５ｅの１次側巻線はランプ電源回路２５のスイッチ２５ｆ及び商用電源入力端子２５ｇを介して商用電源に接続されている。
【００４１】
出力回路２５ａの共通のベースには駆動トランジスタ２５ｈのエミッタが接続されており、この駆動トランジスタ２５ｈのコレクタは整流器２５ｃの正の出力端子に接続されている。駆動トランジスタ２５ｈのベースは、駆動電流を供給するための駆動回路２５ｉの出力端子に抵抗を介して接続されている。
【００４２】
駆動トランジスタ２５ｈのベースと出力トランジスタのエミッタとの間にはフォトカプラ２５ｊのフォトトランジスタが連結挿入されており、このフォトカプラ２５ｊの発光ダイオードはランプ消灯信号が入力される消灯信号入力端子２５ｋに接続されている。
【００４３】
高圧キセノンショートアークランプ２１の点灯中は、駆動回路２５ｉからの駆動電流が駆動トランジスタ２５ｈを介して出力回路２５ａをターンオンしている。これにより、商用電源入力端子２５ｇを介して供給された商用電源が降圧トランス２５ｅによって低い電圧に変換され、整流器２５ｃ及び平滑キャパシタ２５ｄによって全波整流及び平滑化されて直流電圧となり、さらに出力回路２５ａを介して電流を制御されランプ出力となり、高圧キセノンショートアークランプ２１に印加される。
【００４４】
測定制御回路２８からのランプ消灯信号が消灯信号入力端子２５ｋを介してフォトカプラ２５ｊに印加されると、フォトカプラ２５ｊのフォトトランジスタが作動して駆動トランジスタ２５ｈのベースと出力トランジスタのエミッタとが短絡される。これにより、駆動回路２５ｉからの駆動電流が直ちに遮断され、出力回路２５ａの全てのトランジスタがターンオフしてランプ出力は瞬時に停止され、高圧キセノンショートアークランプ２１は瞬時に消灯される。
【００４５】
測定制御回路２８からランプ消灯信号が印加されなくなり、これによってフォトカプラ２５ｊが導通して駆動回路２５ｉからの駆動電流が印加されて出力回路２５ａの各トランジスタターンオンすることにより、高圧キセノンショートアークランプ２１へランプ出力が供給された場合にも再点灯は行われない。これは、高圧キセノンショートアークランプ２１はブレークダウン電圧が高い（特に再点灯時は非常に高い）ことから、ランプ出力の供給のみでは再点灯しないのである。再点灯させるためには、スタータ回路２４を再度起動させることが必要となる。なお、図５では、ランプ電源回路２５として、リニア制御式ランプ電源回路を表しているが、リニア制御式ランプ電源回路に代えてスイッチング制御式ランプ電源回路を用いることもできる。スイッチング制御式ランプ電源回路ではフォトカプラによりスイッチング制御式ランプ電源回路の制御回路内の発振器の発振を停止させることでランプ出力の供給を停止し、ランプを消灯する。
【００４６】
本実施形態におけるモータ駆動回路２６は、例えばステッピングモータであるモータ２２ｂに、回動すべき角度に応じた駆動パルスを供給するように構成されている。モータ２２ｂが指定された角度だけ回動することにより、減光フィルタ装置２２の円板２２ａも回動し、所望のメッシュフィルタが選択されるか、又はフィルタなしの状態となる。
【００４７】
本実施形態における測定回路２７は、電圧測定回路２７ａと、電流測定回路２７ｂと、標準抵抗２７ｃと、バイポーラ電源回路２７ｄと、基準電圧発生回路２７ｅとを備えている。
【００４８】
バイポーラ電源回路２７ｄは、太陽電池セル２３の負荷となるように接続されており、このバイポーラ電源回路２７ｄの出力電圧を階段状に変化させることによって、太陽電池セル２３の出力電圧及び出力電流が掃引（スキャニング）されて測定される。即ち、バイポーラ電源回路２７ｄの出力電圧は、基準電圧発生回路２７ｅから与えられる基準電圧の段階的変化に応じて、図８及び図９に示すように、階段状に変化するように構成されている。
【００４９】
電圧測定回路２７ａは、バイポーラ電源回路２７ｄから階段状の出力電圧が印加された状態で太陽電池セル２３の両端子間の電圧を測定し、その測定値をＡ／Ｄ変換し、デジタルの電圧測定値を測定制御回路２８へ出力するように構成されている。
【００５０】
電流測定回路２７ｂは、バイポーラ電源回路２７ｄから階段状の出力電圧が印加された状態で標準抵抗２７ｃの両端間の電圧を測定することにより、この標準抵抗２７ｃを介して太陽電池セル２３を流れる電流を測定し、その測定値をＡ／Ｄ変換し、デジタルの電流測定値を測定制御回路２８へ出力するように構成されている。
【００５１】
基準電圧発生回路２７ｅは、測定制御回路２８から与えられる電圧指令値に応じて段階的に変化する基準電圧をバイポーラ電源回路２７ｄに供給する。
【００５２】
図２に示すように、本実施形態における測定制御回路２８は、バス２８ａを介して互いに接続された中央処理装置（ＣＰＵ）２８ｂと、リードオンリメモリ（ＲＯＭ）２８ｃと、ランダムアクセスメモリ（ＲＡＭ）２８ｄと、ハードディスク駆動装置（ＨＤＤ）２８ｅと、画像処理部２８ｆと、ディスプレイ２８ｇと、第１の入出力インタフェース（Ｉ／Ｏ）２８ｈと、第２の入出力インタフェース（Ｉ／Ｏ）２８ｉとを備えたコンピュータ及びこれを作動させるプログラムから構成される。
【００５３】
ＣＰＵ２８ｂはＨＤＤ２８ｅに記憶されているオペレーティングシステム（ＯＳ）等の基本プログラムに従ってＨＤＤ２８ｅに記憶されているプログラムを実行して本実施形態の処理を行う。また、ＣＰＵ２８ｂは、ＲＡＭ２８ｄ、ＨＤＤ２８ｅ、画像処理部２８ｆ、第１のＩ／Ｏ２８ｈ、及び第２のＩ／Ｏ２８ｉの動作を制御する。
【００５４】
ＲＡＭ２８ｄはコンピュータのメインメモリとして使用され、ＨＤＤ２８ｅから転送されたプログラムやデータを記憶する。また、ＲＡＭ２８ｄは、プログラム実行時の各種データが一時的に記憶されるワークエリアとしても使用される。
【００５５】
ＨＤＤ２８ｅには、プログラム及びデータがあらかじめ記憶されている。
【００５６】
画像処理部２８ｆは、ＣＰＵ２８ｂの指示に従って２次元グラフィック処理を行い、画像データを生成する。生成された画像データは、ディスプレイ２８ｇに出力される。
【００５７】
第１のＩ／Ｏ２８ｈは、測定回路２７の基準電圧発生回路２７ｅへデジタル電圧指令値を出力すると共に、測定回路２７の電圧測定回路２７ａからデジタル電圧測定値を、測定回路２７の電流測定回路２７ｂからデジタル電流測定値をそれぞれ入力し、さらに、スタータ回路２４へランプ点灯信号を、ランプ電源回路２５へランプ消灯信号を、モータ駆動回路２６へモータ制御信号をそれぞれ出力するように構成されている。
【００５８】
第２のＩ／Ｏ２８ｉは、このソーラシミュレータ１３の上位システムであるセルテスタの制御系（図示なし）からの測定制御信号を入力すると共に、セルテスタの制御系へ測定結果を出力するように構成されている。
【００５９】
このような構成のコンピュータにおいて、ＣＰＵ２８ｂは、作動時は、まず、ＲＡＭ２８ｄ内にプログラム記憶領域、データ記憶領域及びワークエリアを確保し、ＨＤＤ２８ｅ又は外部からプログラム及びデータを取り込んで、プログラム記憶領域及びデータ記憶領域に格納する。次いで、このプログラム記憶領域に格納されたプログラムに基づいて、後述するＩ／Ｖ特性の計測処理を実行する。
【００６０】
図６は本実施形態におけるセルテスタによる太陽電池セルパネルの搬送及び計測処理の流れを概略的に説明している。以下、この図６及び図１を用いて、セルテスタの動作を説明する。実際には、図示されていないセルテスタ制御回路によって、以下の太陽電池セルパネルの搬送及び計測処理が実行される。
【００６１】
まず、供給元トレイ群１０の現在のトレイにワークである太陽電池セルパネル１１が存在しているかどうか判別する（ステップＳ１）。
【００６２】
存在していない場合（ＮＯの場合）はトレイを交換して（ステップＳ２)新たなトレイから、存在している場合（ＹＥＳの場合）は現在のトレイからワークである太陽電池セルパネル１１を搬送ベルトコンベア１２上に取り込む（ステップＳ３）。
【００６３】
次いで、搬送ベルトコンベア１２上の１つの太陽電池セルパネル１１をソーラシミュレータ１３の所定位置に固定する（ステップＳ４）。
【００６４】
次いで、ソーラシミュレータ１３の測定制御回路２８にＩ／Ｖ特性計測処理の開始を指示する（ステップＳ５）。これにより、ソーラシミュレータ１３は後述するＩ／Ｖ特性計測処理を実行する。
【００６５】
その後、ソーラシミュレータ１３によるＩ／Ｖ特性計測処理が終了したかどうか判別し（ステップＳ６）、終了した場合（ＹＥＳの場合）のみ、ソーラシミュレータ１３の測定制御回路２８から送信される測定データを受信する（ステップＳ７）。
【００６６】
次いで、計測処理済みの太陽電池セルパネル１１をソーラシミュレータ１３から排出し（ステップＳ８）、搬送ベルトコンベア１２によってソータ１４へ搬送する。
【００６７】
ソータ１４はＩ／Ｖ特性計測処理結果から得られるランクによって各太陽電池セルパネル１１を仕分けし、対応するランク別トレイ群に１５、１６又は１７に搬送されるようにソータ動作する（ステップＳ９）。
【００６８】
次いで、供給元トレイ群１０の全てのトレイにおける太陽電池セルパネル１１を計測処理したかどうか判別し（ステップＳ１０）、全てを処理してない場合（ＮＯの場合）はステップＳ１へ戻って以上の処理を繰り返して実行する。全てを処理した場合（ＹＥＳの場合）は、このセルテスタによる太陽電池セルパネル１１の搬送及び計測処理を終了する。
【００６９】
図７は本実施形態における測定制御回路２８のＩ／Ｖ特性計測処理の流れを概略的に説明しており、図８はこのＩ／Ｖ特性計測処理においてバイポーラ電源回路２７ｄの出力電圧指令値Ｖｂと測定される電圧値及び電流値との関係を説明しており、図９はこのＩ／Ｖ特性計測処理においてバイポーラ電源回路２７ｄの出力電圧指令値Ｖｂの段階的変化と電圧及び電流の測定ポイントとを説明している。以下、これら図７、図８及び図９並びに図２を用いて、ソーラシミュレータ１３におけるＩ／Ｖ特性計測処理動作を説明する。
【００７０】
セルテスタの上位システムより、Ｉ／Ｖ特性計測処理の開始が指示されると、測定制御回路２８のコンピュータは、ランプ点灯を指示する（ステップＳ２１）。これにより、スタータ回路２４が作動し、高圧キセノンショートアークランプ２１は、ランプ点灯信号印加とほぼ同時に点灯し、直ちに定常出力光を発生する。
【００７１】
次いで、極短時間の待機を行って高圧キセノンショートアークランプ２１の出射光の安定化を図る（ステップＳ２２）。
【００７２】
その後、基準電圧発生回路２７ｅへ初期電圧指令値を送り、この基準電圧発生回路２７ｅからアナログ変換され電圧として出力される出力電圧指令値Ｖｂが基準電圧としてバイポーラ電源回路２７ｄへ与えられ、このバイポーラ電源回路２７ｄの出力電圧が最小電圧値（単なる一例であるが例えば−０．０４Ｖ）となるように初期設定する（ステップＳ２３）。
【００７３】
次いで、この状態で電圧測定回路２７ａの測定した電圧に対応するデジタル電圧測定値を取り込むと共に、この電圧測定と同時に電流測定回路２７ｂの測定した電流に対応するデジタル電流測定値を取り込む（ステップＳ２４）。取り込んだ電圧測定値及び電流測定値は、バイポーラ電源回路２７ｄの出力電圧指令値Ｖｂ（この場合、Ｖｂ＝−０．０４Ｖ）と対応させてＲＡＭ２８ｄ又はＨＤＤ２８ｅに記憶される。
【００７４】
次いで、バイポーラ電源回路２７ｄの出力電圧指令値Ｖｂを一定電圧Ｃ（単なる一例であるが例えば０．０４Ｖ）だけ段階的に増大させるための電圧指令値を基準電圧発生回路２７ｅへ送る（ステップＳ２５）。
【００７５】
次いで、この状態で電圧測定回路２７ａの測定した電圧に対応するデジタル電圧測定値を取り込むと共に、この電圧測定と同時に電流測定回路２７ｂの測定した電流に対応するデジタル電流測定値を取り込む（ステップＳ２６）。取り込んだ電圧測定値及び電流測定値は、バイポーラ電源回路２７ｄの出力電圧指令値Ｖｂ（この場合、Ｖｂ＝Ｖｂ+Ｃ）と対応させてＲＡＭ２８ｄ又はＨＤＤ２８ｅに記憶される。
【００７６】
その後、バイポーラ電源回路２７ｄの出力電圧指令値Ｖｂが最大電圧値（単なる一例であるが例えば１．２４Ｖ）であるかどうか判別し（ステップＳ２７）、最大電圧値ではないと判別した場合（ＮＯの場合）は、ステップＳ２５の処理に戻ってステップＳ２５〜Ｓ２７の処理を繰り返す。
【００７７】
以上の処理により、図８に示すように、バイポーラ電源回路２７ｄの出力電圧指令値Ｖｂを階段状に増大させて太陽電池セル２３の電圧及び電流を測定する。最小電圧値が−０．０４Ｖ、最大電圧値が１．２４Ｖ、段階的増大値が０．４Ｖの場合、３３段階の出力電圧指令値Ｖｂで測定が行われることとなる。なお、本実施形態では、出力電圧指令値Ｖｂを最小電圧値から最大電圧値まで段階的に増大させて測定を行っているが、逆に、出力電圧指令値Ｖｂを最大電圧値から最小電圧値まで段階的に減少させて測定を行っても良い。
【００７８】
なお、バイポーラ電源回路２７ｄの出力電圧指令値Ｖｂを変化させた後、太陽電池セル２３を安定化させるために、一定の待機時間を経過させた後、測定を行うようにしても良い。即ち、図９に示すように、出力電圧指令値Ｖｂを段階的に変化させた際に太陽電池セル２３が安定するまで待機し、その後、測定ポイントにおいて電圧値及び電流値を同時に測定する。
【００７９】
ステップＳ２７において、出力電圧指令値Ｖｂが最大電圧値であると判別した場合（ＹＥＳの場合）は、バイポーラ電源回路２７ｄの出力を図示しないリレーによって切り離すと共に、ランプ消灯を指示する（ステップＳ２８）。これにより、ランプ電源回路２５が作動し、高圧キセノンショートアークランプ２１は、ランプ消灯信号印加とほぼ同時に消灯する。
【００８０】
次いで、ＲＡＭ２８ｄ又はＨＤＤ２８ｅに記憶されている電圧測定値、電流測定値及びバイポーラ電源回路２７ｄの出力電圧指令値Ｖｂを含む測定データが上位システムであるセルテスタ制御回路へ送信される（ステップＳ２９）。
【００８１】
図１０は本実施形態におけるソーラシミュレータによって計測されたＩ／Ｖ特性の一例を示している。以下、同図を用いて、Ｉ／Ｖ特性計測処理動作について説明する。
【００８２】
ランプ点灯信号が印加されると、高圧キセノンショートアークランプ２１は瞬時に点灯し、その出射光強度は直ちに定常出力である１ＳＵＮとなる。その際、必要に応じてランプ出力安定のための遅延時間をとった後、Ｉ／Ｖ特性の計測が行われる。
【００８３】
バイポーラ電源回路２７ｄは太陽電池セル２３が発電する以上に正方向に電流が流れるように、出力電圧指令値Ｖｂを負の状態である最小電圧値（例えば、Ｖｂ＝−０．０４Ｖ）からスタートし、段階的に増大する。これにより、太陽電池セル２３の電圧がゼロとなり（Ｖｂ=０）、バイポーラ電源回路２７ｄの出力電流が最大となる状態、即ち、太陽電池セル２３が完全に短絡した短絡電流Ｉｓｃ状態を作り出すことができる。
【００８４】
バイポーラ電源回路２７ｄの出力電圧指令値Ｖｂがさらに増大することにより、太陽電池セル２３が発電し、電流がバイポーラ電源回路２７ｄに流れ込んでいく状態が続く。
【００８５】
バイポーラ電源回路２７ｄの出力電圧指令値Ｖｂがまたさらに増大することにより、太陽電池セル２３に逆に電流が流れ込んでいく状態、即ちバイポーラ電源回路２７ｄの出力電圧が太陽電池セル２３の発生する電圧より高い状態となる。これにより、その途中で、太陽電池セル２３の発生する電圧とバイポーラ電源回路２７ｄの出力電圧とが等しくなり、電流がゼロとなり、太陽電池セル２３が完全に開放された開放電圧Ｖｏｃ状態を作り出すことができる。
【００８６】
最終的に、バイポーラ電源回路２７ｄの出力電圧指令値Ｖｂが最大電圧値（例えば、Ｖｂ＝１．２４Ｖ）となると、ランプ消灯信号が印加され、高圧キセノンショートアークランプ２１は瞬時に消灯する。
【００８７】
このように本実施形態では、点灯動作及び消灯動作を繰り返して実行可能な高圧キセノンショートアークランプ２１からの擬似太陽光を太陽電池セル２３に照射した状態でそのＩ／Ｖ変換特性を計測しており、そのＩ／Ｖ変換特性計測開始時にランプを点灯させるトリガ電圧を発生するスタータ回路２４にランプ点灯信号が指示され、これにより、スタート用のトリガ電圧が高圧キセノンショートアークランプ２１に印加されることにより瞬時の点灯が行われる。Ｉ／Ｖ変換特性を計測終了時にランプ電源回路２５にランプ電流の供給停止が指示され、ランプ電流が遮断されることにより高圧キセノンショートアークランプ２１が消灯される。これにより、高圧キセノンショートアークランプ２１はＩ／Ｖ変換特性を計測中のみ点灯され、計測が終了すると消灯される。従って、発光時間が充分に長い（１秒以上の）光によるＩ／Ｖ変換特性計測を高精度に行うことができ、しかも、消費電力の低減化及び構成部品の長寿命化を図ることができる。
【００８８】
このように、高圧キセノンショートアークランプ２１を光源として用いることにより、低コストで連続点灯及び持続時間の長いパルス点灯（ロングパルス点灯、パルス持続時間１秒以上）が可能となる。
【００８９】
光源として、ショートアークランプを用いた場合、大面積の太陽電池セルに擬似太陽光を照射するソーラシミュレータでは、消費電力を低減させる必要上、パルス点灯方式が採用されており、これに対して、小面積の太陽電池セルに擬似太陽光を照射するソーラシミュレータでは、連続点灯方式が一般的に採用されており、生産ライン（セルテスタ）における計測に用いられていた。近年、小面積照射のソーラシミュレータであっても、電源装置の低コスト化及び消費電力の低減化の観点から、パルス点灯方式が採用されつつある。従来の小面積照射対応のパルス点灯ランプは、５〜１０ｍｓｅｃのパルス点灯時間を有するものが一般的であり、また、１０ｍｓｅｃの山形パルス波形で点灯するものも使用されていた。シリコン系の太陽電池セルについては１０ｍｓｅｃのパルス点灯による照射で計測可能であるが、化合物系等の太陽電池セルについては１０ｍｓｅｃの照射では応答できないため、１０ｍｓｅｃを超えるパルス点灯照射が必要とされている。
【００９０】
本実施形態の高圧キセノンショートアークランプ２１を使用することで、集光効率が著しく向上し、低価格の電源装置及び光学系を用いても台形のパルス波形で１ｓｅｃ以上のロングパルス照射が可能となる。例えば、標準的なランプを用いた場合に比して、消費電力が１／２程度であっても、定格照度を確保できる。また、現在使用されている山形パルス波形のソーラシミュレータは、発光時間が１０ｍｓｅｃに固定されているのに対し、本実施形態の高圧キセノンショートアークランプ２１を使用すれば、一般に使用されている連続点灯用電源装置を制御して必要な時間のみで消灯する制御方式を採用することで、連続点灯から任意のパルス時間点灯が可能となる。これにより、あらゆる種類の太陽電池セルに対応可能なソーラシミュレータを提供することができる。
【００９１】
また、本実施形態の高圧キセノンショートアークランプ２１は発光源と反射鏡とが一体となっているので軸出し機構及び別個の反射鏡が不要となるため、その意味からも大幅なコストダウンが可能である。さらに、発光部と反射鏡とが一体化されて軸出し調整済みであることから、発光部の軸出し作業が不要となる。このため、ランプ交換時等に煩雑な軸出し作業を行う必要がないので手間が掛からない。さらにまた、光量調整を行う際にランプに印加される電力を変化させていないため、スペクトル変化を起こすこともない。
【００９２】
もちろん、絞り及びリングのような機械的減光フィルタを使用していないので、構成を簡略化でき、均一性の悪化や光の干渉による色ムラ発生に基づくスペクトル変化も全く生じない。
【００９３】
図１１は本実施形態におけるソーラシミュレータによって計測されたＩ／Ｖ特性の他の例を示している。
【００９４】
この例では、１回目のＩ／Ｖ特性計測処理が図１０の例の場合と同様に、高圧キセノンショートアークランプ２１の出射光がフィルタなしの状態で太陽電池セル２３に印加されて実行される（ただし、計測処理時間は１／２）。
【００９５】
次いで、減光フィルタ装置２２の円板２２ａが回動されて所望のメッシュフィルタが選択されることにより、高圧キセノンショートアークランプ２１の出射光が減光フィルタを介した状態で太陽電池セル２３に印加され、２回目のＩ／Ｖ特性計測処理が実行される。
【００９６】
図１２は本発明の他の実施形態におけるソーラシミュレータのスタータ回路の他の例の電気的構成を概略的に示している。本実施形態は、高圧キセノンショートアークランプ２１の発光パルス幅が１秒を超えて長い場合に特に好適であり、スタータ回路以外の構成は図１〜図１１に述べた実施形態の場合と同様である。従って、本実施形態において、図１〜図１１に述べた実施形態の場合と同様の構成要素は、同じ参照番号を使用するものとする。
【００９７】
本実施形態におけるスタータ回路２４′は、テスラコイル２４ａ′と、高圧トランス（Ｔ）２４ｂ′と、キャパシタ（Ｃ）２４ｄ′と、スパークギャップ素子（ＳＧ）２４ｅ′と、ソリッドステートリレー（ＳＳＲ）２４ｈ′とを備えている。
【００９８】
テスラコイル２４ａ′の２次側巻線の一端は、高圧キセノンショートアークランプ２１のアノード２１ｄに直列に接続されている。このテスラコイル２４ａ′の２次側巻線の他端と、高圧キセノンショートアークランプ２１のカソード２１ｅとは、ランプ電源回路２５の出力端子に接続されている。高圧トランス２４ｂ′の１次側巻線はソリッドステートリレー２４ｈ′を介して商用電源に接続されており、この高圧トランス２４ｂ′の２次側巻線にはキャパシタ２４ｄ′が直列に接続されている。ソリッドステートリレー２４ｈ′には、測定制御回路２８からランプ点灯信号であるトリガ信号が印加されるように構成されている。
【００９９】
キャパシタ２４ｄ′の一端（高圧トランス２４ｂ′の２次側巻線の一端）はテスラコイル２４ａ′の１次側巻線の一端に接続されており、テスラコイル２４ａ′の１次側巻線の他端にはスパークギャップ素子２４ｅ′のアノードが接続されている。スパークギャップ素子２４ｅ′のカソードはキャパシタ２４ｄ′の他端（高圧トランス２４ｂ′の２次側巻線の他端）に接続されている。
【０１００】
このような構成のスタータ回路２４′において、高圧トランス２４ｂ′の２次側巻線にはキャパシタ２４ｄ′が接続され、その一端にはテスラコイル２４ａ′の１次側巻線が接続されている。ランプ点灯信号はソリッドステートリレー２４ｈ′に印加され、このランプ点灯信号が与えられている間、高圧トランス２４ｂ′の２次側巻線からの電圧はキャパシタ２４ｄ′に印加される。この電圧は交流であるため、絶えず極性が反転するが、その電圧値がスパークギャップ素子２４ｅ′の絶縁破壊電圧に到達する毎に、パルス状の電流がテスラコイル２４ａ′の１次側巻線に流れ、高圧キセノンショートアークランプ２１が点灯する。商用電源の周波数が仮に５０Ｈｚであり、ランプ点灯信号であるトリガ信号のパルス幅が５０ミリ秒であるとすると、１秒間に５回のパルス状の電流がテスラコイル２４ａ′の１次側巻線に流れることとなり、高圧キセノンショートアークランプ２１の点灯の確実性においては、図４に示したスタータ回路２４の場合より優れている。
【０１０１】
本実施形態におけるその他の作用効果については、図１〜図１１に述べた実施形態の場合と同様である。
【０１０２】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【０１０３】
１０  供給元トレイ群
１１  太陽電池セルパネル
１２  搬送ベルトコンベア
１３  ソーラシミュレータ
１４  ソータ
１５、１６、１７  ランク別トレイ群
２０  擬似太陽光発生光学部
２１  高圧キセノンショートアークランプ
２１ａ  反射鏡部材
２１ｂ  透明窓部材
２１ｃ  ランプ室
２１ｄ  アノード
２１ｅ  カソード
２１ｆ  カソード支持部材
２１ｇ  発光部
２１ｈ  反射鏡
２２  減光フィルタ装置
２２ａ  円板
２２ｂ  モータ
２３  太陽電池セル
２４、２４′  スタータ回路
２４ａ、２４ａ′  テスラコイル
２４ｂ、２４ｂ′  高圧トランス（Ｔ）
２４ｃ  ダイオード（Ｄ）
２４ｄ、２４ｄ′  キャパシタ（Ｃ）
２４ｅ  トリガードスパークギャップ素子（ＴＳＧ）
２４ｅ′  スパークギャップ素子（ＳＧ）
２４ｆ  トリガトランス
２４ｇ  トリガ回路
２４ｈ′  ソリッドステートリレー（ＳＳＲ）
２５  ランプ電源回路
２５ａ  出力回路
２５ｂ  ランプ出力用出力端子
２５ｃ  整流器
２５ｄ  平滑キャパシタ
２５ｅ  降圧トランス
２５ｆ  スイッチ
２５ｇ  商用電源入力端子
２５ｈ  駆動トランジスタ
２５ｉ  駆動回路
２５ｊ  フォトカプラ
２５ｋ  消灯信号入力端子
２６  モータ駆動回路
２７  測定回路
２７ａ  電圧測定回路
２７ｂ  電流測定回路
２７ｃ  標準抵抗
２７ｄ  バイポーラ電源回路
２７ｅ  基準電圧発生回路
２８  測定制御回路
２８ａ  バス
２８ｂ  中央処理装置（ＣＰＵ）
２８ｃ  リードオンリメモリ（ＲＯＭ）
２８ｄ  ランダムアクセスメモリ（ＲＡＭ）
２８ｅ  ハードディスク駆動装置（ＨＤＤ）
２８ｆ  画像処理部
２８ｇ  ディスプレイ
２８ｈ  第１の入出力インタフェース（Ｉ／Ｏ）
２８ｉ  第２の入出力インタフェース（Ｉ／Ｏ）
【図１】
2014085182.tif 000003
【図２】
2014085182.tif 000004
【図３】
2014085182.tif 000005
【図４】
2014085182.tif 000006
【図５】
2014085182.tif 000007
【図６】
2014085182.tif 000008
【図７】
2014085182.tif 000009
【図８】
2014085182.tif 000010
【図９】
2014085182.tif 000011
【図１０】
2014085182.tif 000012
【図１１】
2014085182.tif 000013
【図１２】
2014085182.tif 000014